(57)【要約】【課題】物理位置で発出される警報から、アドレスといった論理情報で特定されるパスで影響を受けているものを即座に判定できるネットワーク管理装置を提供する。【解決手段】ネットワーク管理装置は、各通信装置から、パスを構成するリンクに付与された論理情報で、パスの経路を特定するパス情報を取得する手段と、各通信装置から、リンクの論理情報と、リンクを収容する光インタフェースの物理情報との対応関係を示す情報を取得する手段と、リンクの論理情報と、リンクを収容する光インタフェースの物理情報との対応関係から、パスの経路を物理情報で特定する物理経路情報を生成する手段とを備えている。【選択図】図２
2008182639.tif 000002
【特許請求の範囲】
【請求項１】
各通信装置から、パスを構成するリンクに付与された論理情報でパスの経路を特定するパス情報を取得する手段と、
各通信装置から、リンクの論理情報と、リンクを収容する光インタフェースの物理情報との対応関係を示す情報を取得する手段と、
リンクの論理情報と、リンクを収容する光インタフェースの物理情報との対応関係から、パスの経路を物理情報で特定する物理経路情報を生成する手段と、
を備えているネットワーク管理装置。
【請求項２】
物理経路情報に含まれる物理情報に対応する光インタフェースから品質情報を取得する手段を有する請求項１に記載のネットワーク管理装置。
【請求項３】
論理情報は、リンクの一端に付与された識別子であり、
物理情報は、光インタフェースの通信装置内での物理位置である、
請求項１又は２に記載のネットワーク管理装置。
【請求項４】
請求項１から３のいずれか１項に記載のネットワーク管理装置として、コンピュータを機能させるプログラム。
【発明の詳細な説明】
【技術分野】
【０００１】
本発明は、ＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ）技術を用いた光ネットワークのネットワーク管理技術に関する。
【背景技術】
【０００２】
ＧＭＰＬＳ（例えば、非特許文献１及び２、参照。）技術を用いた光ネットワークシステムにおいて、各通信装置は、リンク情報を交換してシステム内のリンクを認識し、設定するパスについては、リンク情報に基づきその経路を計算し、パス設定が完了した場合には、設定したパスをその経路情報を含むパス情報として保存する。なお、リンク情報において、各リンクは、そのアドレスにより特定されるため、パス情報に含まれる経路情報は、パスを構成するリンクを特定するアドレスの列となる。
【０００３】
【非特許文献１】Ｋ．Ｋｏｍｐｅｌｌａ  ｅｔ  ａｌ、“Ｒｏｕｔｉｎｇ  Ｅｘｔｅｎｓｉｏｎｓ  ｉｎ  Ｓｕｐｐｏｒｔ  ｏｆ  Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ  （ＧＭＰＬＳ）”、ＩＥＴＦ  ＲＦＣ４２０２、２００５年１０月
【非特許文献２】Ｌ．Ｂｅｒｇｅｒ、“Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ  （ＧＭＰＬＳ）  Ｓｉｇｎａｌｉｎｇ  Ｆｕｎｃｔｉｏｎａｌ  Ｄｅｓｃｒｉｐｔｉｏｎ”、ＩＥＴＦ  ＲＦＣ３４７１、２００３年１月
【発明の開示】
【発明が解決しようとする課題】
【０００４】
ＧＭＰＬＳによる光ネットワークシステム用のネットワーク管理装置は、各通信装置からパス情報を取得することで、設定されているパスを認識することができる。しかしながら、パス情報は、アドレス等の、ネットワーク運用者が決定する識別子である論理情報により経路を特定し、通信装置の光インタフェースカードが実装されている物理位置という物理情報で特定していないため、例えば、ある通信装置が受信光レベルの異常を検出し、検出した光インタフェースカードの物理位置と共に警報をネットワーク管理装置に通知したとしても、ネットワーク管理装置においては、その警報により影響を受けているパスを即座に把握することができないという問題がある。
【０００５】
したがって、本発明は、上記問題を解決するネットワーク管理装置と、該ネットワーク管理装置としてコンピュータを機能させるプログラムを提供することを目的とする。
【課題を解決するための手段】
【０００６】
本発明におけるネットワーク管理装置によれば、
各通信装置から、パスを構成するリンクに付与された論理情報でパスの経路を特定するパス情報を取得する手段と、各通信装置から、リンクの論理情報と、リンクを収容する光インタフェースの物理情報との対応関係を示す情報を取得する手段と、リンクの論理情報と、リンクを収容する光インタフェースの物理情報との対応関係から、パスの経路を物理情報で特定する物理経路情報を生成する手段とを備えていることを特徴とする。
【０００７】
本発明のネットワーク管理装置における他の実施形態によれば、
物理経路情報に含まれる物理情報に対応する光インタフェースから品質情報を取得する手段を有することも好ましい。
【０００８】
また、本発明のネットワーク管理装置における他の実施形態によれば、
論理情報は、リンクの一端に付与された識別子であり、物理情報は、光インタフェースの通信装置内での物理位置であることも好ましい。
【０００９】
本発明におけるプログラムによれば、コンピュータを上記ネットワーク管理装置として機能させることを特徴とする。
【発明の効果】
【００１０】
物理経路情報により、障害発生時に、通信装置から物理情報で発出される各種警報に基づき、影響を受けているパスを即座に判定することができる。また、パスの経路に含まれる物理情報から品質情報を取得することで、パスの品質劣化を事前に把握することが可能になる。
【発明を実施するための最良の形態】
【００１１】
本発明を実施するための最良の実施形態について、以下では図面を用いて詳細に説明する。
【００１２】
図１は、本発明によるネットワーク管理装置１を含むシステム構成図である。図１によると、ネットワーク管理装置１は、ＧＭＰＬＳ制御可能な通信装置、本実施形態においては、ルータ２１及び２２、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）３１から３４、ＷＸＣ（Ｗａｖｅｌｅｎｇｔｈ  Ｃｒｏｓｓ−Ｃｏｎｎｅｃｔ）４１を含むネットワークの管理装置である。なお、図１に示す各通信装置は例示である。
【００１３】
図１において、各通信装置の下に示している数字例は、各通信装置のＩＤ、つまり、ノードＩＤであり、各通信装置間を結ぶ線は通信装置を接続する光ファイバを表しており、各通信装置を結ぶ線の上にある数字は、使用している光インタフェースのその通信装置における物理位置を表している。つまり、例えば、ルータ２１は、ノードＩＤが１．１．１．１であり、ノードＩＤが２．２．２．２であるＲＯＡＤＭ３１とは、物理位置＃１の光インタフェースで接続している。以下、図１に示すノードＩＤ及び光インタフェースの物理位置を使用して説明を行う。
【００１４】
ＧＭＰＬＳネットワークにおいては、各通信装置は、リンク情報を交換してシステム内のリンク情報をそれぞれ保持している。図２は、本実施形態において使用するリンク情報を示す図である。例えば、ノードＩＤが１．１．１．１であるルータ２１は、アドレス１０．１０．１０．１が付与された光インタフェースにより、ノードＩＤが２．２．２．２であるＲＯＡＤＭ３１と接続していることをリンク情報から認識することができる。ネットワーク管理装置１は、いずれかの通信装置からリンク情報を取得することで、システム内にある論理情報で表現されたリンクを認識することができる。
【００１５】
続いて、ネットワーク管理装置１は、各通信装置から、例えば、ＲＦＣ４３２７規定のＬＭＰ−ＭＩＢ、ＲＦＣ４２２０規定のＴＥ−Ｌｉｎｋ  ＭＩＢを取得する。図３（ａ）は、ノードＩＤが２．２．２．２であるＲＯＡＤＭ３１から取得したＬＭＰ−ＭＩＢを、図３（ｂ）は、同じくＴＥ−Ｌｉｎｋ  ＭＩＢを示す図である。図３（ａ）に示す様に、ＬＭＰ−ＭＩＢは光インタフェースを物理情報で示し、図３（ｂ）に示す様に、ＴＥ−Ｌｉｎｋ  ＭＩＢは、リンクを論理情報で示すものである。
【００１６】
更に、ネットワーク管理装置１は、各装置から、ＬＭＰ−ＭＩＢとＴＥ−Ｌｉｎｋ  ＭＩＢとの対応関係、つまり、リンクの論理情報と、リンクを収容する光インタフェースの物理情報との対応関係を示す情報を取得する。図３（ｃ）は、ノードＩＤが２．２．２．２であるＲＯＡＤＭ３１から取得したＬＭＰ−ＭＩＢとＴＥ−Ｌｉｎｋ  ＭＩＢとの対応関係を示す情報である。
【００１７】
その後、ネットワーク管理装置１は、設定されているパスのパス情報を、例えば、パスの設定を行った装置から取得する。図４は、ノードＩＤが１．１．１．１であるルータ２１から取得した、パス名が“Ｐａｔｈ１”であるパスのパス情報を示す図である。図４によると、パス情報には経路情報が含まれており、経路情報は、パスの経路を、パスを構成するリンクに付与された識別子である論理情報により、つまり、本実施形態においてはアドレスにより特定している。図４において、“Ｐａｔｈ１”は、ルータ２１を始点とし、アドレス１０．１０．１０．２が、一端のインタフェースに付与されているリンク、アドレス２０．２０．２０．２が、一端のインタフェースに付与されているリンク、アドレス３０．３０．３０．２が、一端のインタフェースに付与されているリンクを経由し、アドレス４０．４０．４０．２が、一端のインタフェースに付与されているリンクで終端されていることが分かる。また、図２に示すリンク情報又は各通信装置より取得した図３（ｂ）に示す論理情報から、“Ｐａｔｈ１”に関係するノードは、ルータ２１、ＲＯＡＤＭ３１、ＷＸＣ４１、ＲＯＡＤＭ３４及びルータ２２であることが分かる。
【００１８】
ネットワーク管理装置１は、各通信装置から取得した論理情報と物理情報との対応関係を示す情報により、取得したパスが経由する各光インタフェースを特定する。例えば、図４に示す様に、“Ｐａｔｈ１”の経路には、アドレス１０．１０．１０．２が含まれているが、図３（ｂ）に示すノードＩＤが２．２．２．２であるＲＯＡＤＭ３１から取得した論理情報において、ローカルＩＰが１０．１０．１０．２である行の論理インデックス“１１”に対応する物理インデックスは、図３（ｃ）より“１”であるため、図３（ａ）から、ノードＩＤが２．２．２．２であるＲＯＡＤＭ３１の光ンインタフェース＃２の受信側を経由していることが特定できる。
【００１９】
同様に、“Ｐａｔｈ１”のルートには、アドレス２０．２０．２０．２が含まれているが、図３（ｂ）に示す対向ＩＰが２０．２０．２０．２である行の論理インデックス“１２”に対応する物理インデックスは“２”であるため、ノードＩＤが２．２．２．２であるＲＯＡＤＭ３１の光ンインタフェース＃１の送信側を経由していることが特定できる。
【００２０】
ネットワーク管理装置１は、上記処理を各パスについて行い、パスの経路を光インタフェースの各通信装置での物理位置、つまり、物理情報で特定する物理経路情報、例えば、図４のパス情報については、図５に示す物理経路情報を作成する。図５から、“Ｐａｔｈ１”は、ノードＩＤが１．１．１．１であるルータ２１の光ンインタフェース＃１、ノードＩＤが２．２．２．２であるＲＯＡＤＭ３１の光インタフェース＃２、＃１、ノードＩＤが４．４．４．４であるＷＸＣ４１の光インタフェース＃２、＃３、ノードＩＤが６．６．６．６であるＲＯＡＤＭ３４の光インタフェース＃１、＃３、ノードＩＤが７．７．７．７であるルータ２２の光インタフェース＃１を経由していることが分かる。
【００２１】
この物理経路情報により、ネットワーク管理装置１は、各通信装置から、光インタフェースの物理位置で通知される各種警報に基づき、影響を受けているパスを即座に判定することができる。更に、図５に示す様に、物理経路情報に基づき、各パスが通過している光インタフェースから定期的に、光出力や光入力レベルに関する情報や、エラーレートに関する情報といった、物理的な光インタフェースについての品質情報を収集することで、パスの品質管理を実行することが可能になる。
【００２２】
なお、本発明によるネットワーク管理装置は、コンピュータを上記ネットワーク管理装置として機能させるコンピュータプログラムにより実現することができる。このコンピュータプログラムは、コンピュータが読み取り可能な記憶媒体に記憶されて、又は、ネットワーク経由で配布が可能なものである。更に、本発明は、ハードウェアのみや、ソフトウェアのみならず、それらの組合せによっても実現可能である。
【図面の簡単な説明】
【００２３】
【図１】本発明によるネットワーク管理装置を含むシステム構成図である。
【図２】リンク情報を示す図である。
【図３】通信装置から取得する論理情報と物理情報を示す図である。
【図４】パス情報を示す図である。
【図５】ネットワーク管理装置が生成する物理情報を含むパス情報を示す図である。
【符号の説明】
【００２４】
１  ネットワーク管理装置
２１、２２  ルータ
３１、３２、３３、３４  ＲＯＡＤＭ
４１  ＷＸＣ
【図１】
2008182639.tif 000003
【図２】
2008182639.tif 000004
【図３】
2008182639.tif 000005
【図４】
2008182639.tif 000006
【図５】
2008182639.tif 000007